(57)【要約】      （修正有）【課題】茶園における被覆資材の管理手法に関し、特に巻取ユニットの効率的な利用や被覆資材の取り扱いの合理化等を図る新規な被覆資材の巻取装置並びにこれを用いた茶園管理方法を提供する。【解決手段】被覆資材の巻取装置１は、茶畝上面を覆うように、茶畝Ｔに対し展開状に設けられた長尺の被覆資材Ｓをロール状に巻き取る巻取軸３と、この巻き取りを円滑に行うように被覆資材を巻取軸に向けて案内する資材ガイド部材４と、これら巻取軸と資材ガイド部材とを支持するフレーム部材５とを具えて成る巻取ユニット２が、トラック荷台ＴＣ上に設置されて成ることを特徴とする。【選択図】図１
2019000012.tif 000002
【特許請求の範囲】
【請求項１】
茶畝上面を覆うように、茶畝に対し展開状に設けられた長尺の被覆資材をロール状に巻き取る巻取軸と、
この巻き取りを円滑に行うように被覆資材を巻取軸に向けて案内する資材ガイド部材と、
これら巻取軸と資材ガイド部材とを支持するフレーム部材とを具えて成る巻取ユニットが、トラック荷台上に設置されて成ることを特徴とする、被覆資材の巻取装置。
【請求項２】
前記巻取ユニットにおける巻取軸の駆動は、油圧モータで行う構成であることを特徴とする請求項１記載の、被覆資材の巻取装置。
【請求項３】
前記油圧モータへの作動油の供給は、トラックに用意した電動駆動またはエンジン駆動の油圧ポンプを用いて作動油を供給する構成であることを特徴とする請求項２記載の、被覆資材の巻取装置。
【請求項４】
前記巻取ユニットは、トラック荷台の一側縁に寄って設置され、外側に向けて資材ガイド部材が配置されるとともに、トラック荷台の内側に向けて巻取軸が配置されるように設置され、
トラック荷台の残余のスペースを、巻き取られた被覆資材の積込スペースとすることを特徴とする請求項１から３のいずれか１項に記載の、被覆資材の巻取装置。
【請求項５】
前記請求項１から４のいずれか１項に記載された被覆資材の巻取装置を用いた茶園管理方法であって、
トラック荷台上に設置された巻取ユニットが茶畝端部に対向するように、トラックを茶畝に横付けし、
次いで、巻取ユニットから遠い方の茶畝端部に位置する、被覆資材の端縁をめくり返しながら、トラック荷台上の巻取ユニットまで移動させ、当該端縁を巻取ユニットの巻取軸に取り付けた後、巻取軸を回転駆動させて、茶畝上に展開状に被せられていた被覆資材を巻取軸に巻き取るようにしたことを特徴とする茶園管理方法。
【発明の詳細な説明】
【技術分野】
【０００１】
本発明は、茶園における被覆資材の管理手法に関するものであって、特に巻取ユニットの効率的な利用や被覆資材の取り扱いの合理化等を図る新規な被覆資材の巻取装置並びにこれを用いた茶園管理方法に係るものである。
【背景技術】
【０００２】
例えば茶園では、摘採茶葉の保護や品質向上等の目的から、摘採日の数日前（例えば３〜４日程前）から寒冷紗等の被覆資材を茶畝に被せ（これを「展開」と称することがある）、直射日光を遮る管理が行われることがある。もちろん、茶畝上に展開状に拡げた被覆資材は、摘採作業を行うにあたり、事前に除去されるものであり、これは巻取軸にロール状に巻き取るようにして行われる。
そして、このような被覆資材の巻取展開装置に関し、本出願人は、効率的且つ省力的な被覆資材の巻き取り及び展開が図れる手法の開発を試み、特開２０１４−２２３０２１号（特許第６０３０５００号）、特開２０１６−０３２４５６号、特開２０１６−０３２４５８号等の特許出願・特許取得に至り、実機自体も営農者に対し好評裏に受け入れられている。
【０００３】
ところで、従来、被覆資材の巻取作業や展開作業は、乗用型茶園管理機によって行われることが多かった。この乗用型茶園管理機は、茶畝を跨ぎながら畝地上を接地走行する走行機体に対し、目的の作業に応じた各種の管理機体、例えば摘採機体や巻取展開機体等をアタッチメント式に取り付け得るようにした構造の汎用機であり、作業中、作業者は走行機体上に設けられた操縦席に座って、走行や目的の作業の操作を行うものである。
そして、茶園において摘採作業を行うには、まず茶畝に展開されていた被覆資材の巻取作業を行うものであり、この巻取作業は、走行機体の前方側に巻取展開機体を取り付けた乗用型茶園管理機を用いて行っていた。
また、実際の巻取作業としては、乗用型茶園管理機で茶畝の一端側から他の一端側に向けて走行しながら、茶畝上に展開された被覆資材を、回転する巻取軸によってロール状に巻回して行くものである。そして、一つの茶畝の巻取作業が終わったら、巻取軸の軸本体を、被覆資材が巻回されていない新たなものに付け替えて、他の茶畝（例えば隣の茶畝）の巻取作業を行うのが一般的であった。
【０００４】
なお、乗用型茶園管理機そのものは大型であり、また種々の用途に使える汎用機であること等から、イニシャルコストやランニングコストも相応に掛かり、通常、一営農者の所有台数は一基であることが多く、一営農者が単独で複数基の乗用型茶園管理機を所有していることは多くはない。
このようなことから、従来は、巻取作業や摘採作業においても、一基の茶園管理機を使い回すのが当然と考えられており、巻取作業を終えた後、茶園管理機体を巻取展開機体から摘採機体に付け替えて、摘採作業を行っていた。しかし、通常、一つの茶園でも茶畝は複数列仕立てられているため、一つの茶園での巻取作業は、当然、この複数列の茶畝についての巻取作業が終了しないと、摘採機体への付替作業ひいては摘採作業が行えないことがあった。すなわち、摘採作業そのものは、被覆資材をはぎ取った茶畝から順次、開始することができるものの、実際には乗用型茶園管理機が巻取装置としての他の茶畝の巻取作業に使用されていたため、その作業完了を待たなければならなかった。
【先行技術文献】
【特許文献】
【０００５】
【特許文献１】特許第６０３０５００号公報
【特許文献２】特開２０１６−３２４５６号公報
【特許文献３】特開２０１６−３２４５８号公報
【発明の概要】
【発明が解決しようとする課題】
【０００６】
本発明は、このような背景を認識してなされたものであって、上記のような作業形態の合理化を図るべく、その改善策を検討したものであり、従来、乗用型茶園管理機に取り付けられていた巻取展開機体（巻取軸）がアタッチメント式であることを巧みに活かし、このものを別途、営農者が既に所有していることが多いトラックと組み合わせることにより、乗用型茶園管理機を用いない新たな被覆資材の巻取装置並びにこれを用いた茶園管理方法の開発を試みたものである。
【課題を解決するための手段】
【０００７】
すなわち請求項１記載の、被覆資材の巻取装置は、
茶畝上面を覆うように、茶畝に対し展開状に設けられた長尺の被覆資材をロール状に巻き取る巻取軸と、
この巻き取りを円滑に行うように被覆資材を巻取軸に向けて案内する資材ガイド部材と、
これら巻取軸と資材ガイド部材とを支持するフレーム部材とを具えて成る巻取ユニットが、トラック荷台上に設置されて成ることを特徴として成るものである。
【０００８】
すなわち請求項２記載の、被覆資材の巻取装置は、前記請求項１記載の要件に加え、
前記巻取ユニットにおける巻取軸の駆動は、油圧モータで行う構成であることを特徴として成るものである。
【０００９】
また請求項３記載の、被覆資材の巻取装置は、前記請求項２記載の要件に加え、
前記油圧モータへの作動油の供給は、トラックに用意した電動駆動またはエンジン駆動の油圧ポンプを用いて作動油を供給する構成であることを特徴として成るものである。
【００１０】
また請求項４記載の、被覆資材の巻取装置は、前記請求項１から３のいずれか１項に記載の要件に加え、
前記巻取ユニットは、トラック荷台の一側縁に寄って設置され、外側に向けて資材ガイド部材が配置されるとともに、トラック荷台の内側に向けて巻取軸が配置されるように設置され、
トラック荷台の残余のスペースを、巻き取られた被覆資材の積込スペースとすることを特徴として成るものである。
【００１１】
また請求項５記載の茶園管理方法は、
前記請求項１から４のいずれか１項に記載された被覆資材の巻取装置を用いた茶園管理方法であって、
トラック荷台上に設置された巻取ユニットが茶畝端部に対向するように、トラックを茶畝に横付けし、
次いで、巻取ユニットから遠い方の茶畝端部に位置する、被覆資材の端縁をめくり返しながら、トラック荷台上の巻取ユニットまで移動させ、当該端縁を巻取ユニットの巻取軸に取り付けた後、巻取軸を回転駆動させて、茶畝上に展開状に被せられていた被覆資材を巻取軸に巻き取るようにしたことを特徴として成るものである。
【発明の効果】
【００１２】
これら各請求項記載の発明の構成を手段として前記課題の解決が図られる。
まず請求項１記載の発明によれば、被覆資材の巻取装置は、営農者が既に所有していることが多い軽トラック等のトラックに、巻取ユニットを搭載した構成とするため、被覆資材の巻取作業において従来一般的な手法であった乗用型茶園管理機（走行機体にユニット式の巻取機体を取り付けた装置）を用いた手法を採らなくて済み、巻取作業後の摘採作業にスムーズに移行することができる。
すなわち、一般的な営農者でも乗用型茶園管理機の所有台数は１基であることが多く、例えばこれを用いて被覆資材の巻取作業を行うことが多かった従来は、茶畝における巻取作業が一通り終了してからでないと、巻取機体から摘採機体に付け替えた乗用型摘採機による摘採作業が行えなかった。この点、本発明では、巻取作業については乗用型茶園管理機を用いないため、同一の茶園であっても巻取作業が終了した茶畝から順次、乗用型摘採機による摘採作業が始められ、巻取作業から摘採作業への移行が極めてスムーズに且つ能率的に行える。
また、上記のようにトラックとしては、多くの営農者が既に所有しているトラックを適用することが可能であり、このため営農者としては、トラックから新たに購入する必要がなく、巻取装置を導入するにあたってのイニシャルコストが抑えられる。少なくとも例えば乗用型茶園管理機を新たに導入する場合に比べ、格段に費用が抑えられる。
【００１３】
また請求項２または３記載の発明によれば、巻取軸の回転速度（回転数）等の制御が比較的容易に且つ精度良く行える。また無段階で変速できるため、被覆資材を綺麗なロール状の荷姿に巻き取ることができ、巻き取り後の被覆資材の収納保管においても、省スペース化につながる。また、機械式（メカ式）の駆動構造に比べて、発生し易いクラッチ部品の消耗や破損のリスクがなくなる。
【００１４】
また請求項４記載の発明によれば、トラック荷台の残余スペース（巻取ユニットの非設置部）を、巻き取られた被覆資材の積込スペースとするため、例えば巻取ユニットで巻き取った被覆資材を、すぐ横の残余スペースに置くことができる。このため従来、乗用型茶園管理機（巻取機）からトラックに載せ換えしていた作業が省け、営農者の労力軽減が図れる。
【００１５】
また請求項５記載の発明によれば、上記のようなめくり返しによって、茶畝に被せられていた長尺状の被覆資材は、巻取ユニット側に二つ折り状態に重ねられた状態を呈する。そして、このような状態で被覆資材が巻き取られるため、二枚重ね状態となった上側の被覆資材については、被覆資材が茶樹に直接引っ掛かることが極めて少なくスムーズに巻き取りが進行し、また二枚重ね状態となった下側の被覆資材については、幾らか被覆資材が茶樹に引っ掛かるもしくは絡むことが生じるものの、一畝の半分程の長さの巻き取りで済むため、トータルでは極めて巻取抵抗が少なくなり、被覆資材の巻取荷姿としても極めて綺麗な巻取ロールを得ることができる。
【図面の簡単な説明】
【００１６】
【図１】本発明の巻取装置（被覆資材の巻取装置）を茶園で使用している状態で示す斜視図である。
【図２】巻取ユニットを拡大して示す分解斜視図（ａ）、並びに被覆資材が巻取軸に巻き取られて行く様子を示す斜視図（ｂ）である。
【図３】被覆資材が巻取軸に巻き取られて行く様子をトラックの背面側から示す投影図である。
【図４】被覆資材の巻取態様を示す図であって、（ａ）は茶畝端部にトラックを横付けした状態を示す説明図であり、（ｂ）は巻取ユニットによる実質的な巻取作業に先立ち、巻取ユニットの反対側の茶畝端部から被覆資材の端縁をはぎ取ってくる様子を示す説明図である。
【図５】トラック荷台において巻取ユニットの位置を微調整できるようにした巻取装置の改変例を二種示す平面図である。
【図６】トラック荷台の左右両側縁に寄って巻取ユニットを二基設け、左右両側の茶畝から一挙に被覆資材を巻き取ることができるようにした巻取装置の改変例を示す説明図である。
【図７】荷台長さの長いトラックに二基の巻取ユニットを直列状に設け、並列状に並んだ二つの茶畝から一挙に被覆資材を巻き取ることができるようにした巻取装置の改変例を示す説明図である。
【発明を実施するための形態】
【００１７】
本発明を実施するための最良の形態は、以下の実施例に述べるものをその一つとするとともに、更にその技術思想内において改良し得る種々の手法をも含むものである。
【実施例】
【００１８】
本発明の、被覆資材の巻取装置１（以下、単に「巻取装置」と称することがある）は、一例として図１〜図３に示すように、茶畝Ｔの上面に展開状に被せられた被覆資材Ｓをロール状に巻き取る巻取ユニット２を、軽トラック等のトラック荷台ＴＣに取り付けて成るものである。
ここで巻取ユニット２をトラック荷台ＴＣに取り付けるにあたっては、着脱自在の取り付けが好ましく、これによりトラック荷台ＴＣに巻取ユニット２を取り付けた場合には、一般的なトラックＴＲを巻取装置１として使用できるとともに、巻取ユニット２をトラック荷台ＴＣから取り外した場合には、通常のトラック輸送、すなわち例えば営農者が別途収穫した野菜等を積んで、出荷場等に運搬する際の一般的な輸送用途に使用することができる。
【００１９】
また、巻取ユニット２をトラック荷台ＴＣに取り付けるにあたっては、ボルト・ネジ等を用いて巻取ユニット２をトラック荷台ＴＣに直接取り付けることも可能であるが、両者の間に取付ベースやブラケット等の仲介部材を介して取り付けることも可能である。なお、仲介部材を介しての取付手法については後述する。
【００２０】
また、巻取ユニット２の取付位置は、トラック荷台ＴＣの一側縁に寄って設置されるものであり、これは左右両側縁のどちらでも構わない。因みに、本実施例では、トラックＴＲの運転席から見て左側縁に寄って巻取ユニット２を配置する形態を主に図示した。
また、巻取ユニット２を搭載するトラックＴＲとしては、一般の営農者が既に所有していることが多い軽トラックの適用が可能であるが、他のトラックＴＲを適用してももちろん構わない。具体的には、例えばクレーン搭載型のトラックＴＲの適用が考えられ、この場合には、特に雨天時等においては、水分の付着や吸収等によって被覆資材Ｓの見かけ上の重量が増すため、巻き取った被覆資材Ｓ（巻取ロールＳＲ）を、搭載されたクレーンで容易に吊り上げて移動させることにより、営農者の労力軽減が図れるものである。
【００２１】
ここで被覆資材Ｓについて説明する。
被覆資材Ｓは、本実施例では摘採日の数日前（例えば３〜４日程前）に茶畝上面を覆うように、茶畝Ｔに被せるものであり、従って被覆資材Ｓは、展開状態では茶畝上面を覆うことができる長さ寸法を有する長尺状に形成される（茶畝Ｔの仕立て長さに対応）とともに、茶畝Ｔの仕立て幅に対応した幅寸法を有する。なお、実際には茶畝上面が曲面（Ｒ面）であるため、被覆資材Ｓの幅寸法は、畝幅寸法よりも長い幅寸法に形成される。また、このような長尺状の被覆資材Ｓは、保管状態では長手方向に巻き取られたロール状態で茶園または営農者住居の近隣に建てられた倉庫に収容されるものである。また、本明細書では巻き取った状態の被覆資材Ｓを、特に巻取ロールＳＲと称することがある。
因みに、被覆資材Ｓとしては、茶園で多く用いられる寒冷紗が一般的であるが、必ずしも寒冷紗に限定されるものではなく、化学繊維シートや不織布シート等でも構わない。
【００２２】
以下、巻取ユニット２について更に説明する。
巻取ユニット２は、一例として図２（ａ）に示すように、茶畝上面を覆うように展開状に設けられた長尺状の被覆資材Ｓをロール状に巻き取る巻取軸３と、被覆資材Ｓの巻き取りが円滑に行えるように被覆資材Ｓを巻取軸３に案内する資材ガイド部材４と、これら巻取軸３と資材ガイド部材４とをトラック荷台ＴＣ上で支持するフレーム部材５とを具えて成るものである。
【００２３】
以下、巻取ユニット２を構成する各部材について説明する。まずフレーム部材５から説明する。
フレーム部材５は、上述したようにトラック荷台ＴＣ上で巻取軸３と資材ガイド部材４とを支持する部材であり、平面視で矩形の枠状に形成された枠本体５１を主要な部材とする。そして、この枠本体５１の左右両側（トラックＴＲからすると前後両側）から立ち上がるように、ロール支持ポスト５２とガイド支持ポスト５３とが設けられる。更に、枠本体５１の前端縁（トラックＴＲの一側縁）の両側から前方の茶畝Ｔ（トラックＴＲの外側）に張り出すようにガイド支持アーム５４がほぼ水平に伸びるように設けられる。
【００２４】
また、枠本体５１の幅方向中心（畝幅方向中心）には、一例として図２（ａ）に示すように、中央取付ピース５１１が設けられ、この中央取付ピース５１１を挟んで等間隔の位置にサイドピース５１２が左右一対で設けられる。
なお、この中央取付ピース５１１とサイドピース５１２とには、ボルト孔５１３が形成され、ここから手回しボルト等の取付ボルト５１４を締め込むことにより、巻取ユニット２（フレーム部材５）をトラック荷台ＴＣ側に固定（締結）する構成となっている。また枠本体５１の中央上方には、上面ガードパネル５１５が設けられるものであり、これによって上記取付ボルト５１４が覆われる構成となっている。
【００２５】
次に、資材ガイド部材４について説明する。
資材ガイド部材４は、茶畝上に展開されていた被覆資材Ｓを、ほぼ均一な円柱状の荷姿に巻回するように、展開状の被覆資材Ｓを巻取軸３に向けて案内するものであり、主として前記フレーム部材５に取り付けられる。
資材ガイド部材４は、一例として図２に示すように、巻き取りを受ける被覆資材Ｓが接触する順から、受入ガイド体４１と中間ガイド体４２と巻取ガイド体４３とを具えて成るものである。
【００２６】
以下、各ガイド体について説明する。
まず受入ガイド体４１は、前記ガイド支持アーム５４の先端に設けられるものであり、このものはトラック外方の茶畝端部に向かって、平面視で一例として中央部が凹湾曲した杆状の部材により構成される。そして、受入ガイド体４１の凹湾曲により、ここに案内される被覆資材Ｓを中央寄り（中心寄り）に寄せる作用（これを向芯案内作用と称する）を担う（図２の矢印参照）。
なお、受入ガイド体４１は、必ずしも杆状部材によって形成される必要はなく、パイプ材を用いても構わないし、更には円柱の中央部が凹んだ鼓状等の立体形状（側面視で断面サイズが変化する立体形状）でも構わない。
【００２７】
また中間ガイド体４２は、受入ガイド体４１の後方（巻取下流側）に設けられるものであって、このものはガイド支持ポスト５３における下部位置に設けられる。この中間ガイド体４２は、一例として一本の直杆状の部材で構成される。もちろん、この部材も、固定状態のパイプ材で形成することが可能であるし、表面が回転し得るようなローラ状の構成を採っても差し支えない。
【００２８】
更に巻取ガイド体４３は、上記ガイド支持ポスト５３の上端部に取り付けられるものであり、このものは茶畝端部（トラック外方）に向かって平面視で凸湾曲状を成す杆状部材やパイプ材等により構成される。そして、巻取ガイド体４３の凸湾曲状により、中間ガイド体４２を通過した被覆資材Ｓを巻取ユニット２の左右両側に均等に寄せる作用（これを横展開案内作用と称する）を担う（図２の矢印参照）。
【００２９】
なおガイド支持アーム５４、受入ガイド体４１、巻取ガイド体４３等、トラック荷台ＴＣの側方から外方に張り出す部材については、法規上、これを取り付けたまま一般道を走行することはできないため、少なくとも、これらの部材は枠本体５１やガイド支持ポスト５３に対し、着脱自在に取り付け得る構造（いわゆる組み立て式）とし、トラックＴＲが作業場所である茶園に到着し、トラック荷台ＴＣのアオリＴＢ（特に巻取ユニット２が設けられる方の側アオリ）を倒してから外方張り出し状に取り付けるものである。もちろん、ロール支持ポスト５２やガイド支持ポスト５３等、取り付け状態でトラック荷台ＴＣの外方に張り出さない部材については、これらをトラック荷台ＴＣ側（枠本体５１が既にトラック荷台ＴＣに固定されている場合には枠本体５１）に取り付けた状態で、目的の茶園まで走行することは構わない。
【００３０】
次に巻取軸３について説明する。巻取軸３は、上述したように茶畝Ｔに対し展開状に被せられた長尺の被覆資材Ｓをロール状に巻き取るものであり、トラック荷台ＴＣにおいては資材ガイド部材４の反対側、すなわちトラック荷台ＴＣの内側に向けて配置される。
巻取軸３は、ロール支持ポスト５２の上端部に設けられた巻取軸受３１によって、軸本体３２を回転自在に支持して成るものである。
また軸本体３２は、その左右両端にフランジ３３を有するものであり、左右のフランジ３３の間に、巻き取った被覆資材Ｓが収まるように構成される。そして、軸本体３２に対しては、その一方の端部に油圧モータを適用した駆動モータ３４を接続させ、これにより軸本体３２を回転駆動するものである。
【００３１】
なお、駆動モータ３４は、軸本体３２のどちらの端部に設けても構わないが、例えば図２に示すように、トラックＴＲの前方側の端部に設けることが好ましい。これは駆動モータ３４には油圧配管３４Ｐが設けられるため、この駆動モータ３４側のフランジ３３を取り外して巻取ロールＳＲを軸本体３２から抜き取る作業が実用的でないためである。すなわち、巻取ロールＳＲの抜き取りにあたっては、例えば図２（ｂ）に示すように、駆動モータ３４の反対側となる従動側のフランジ３３をトラック後方側に向けて配置し、この従動側のフランジ３３をロール支持ポスト５２（フレーム部材５）に対して扉（開き戸）のように開放させて巻取ロールＳＲを抜き取り易ることが好ましい。もちろん、このようにすることで、巻取ロールＳＲを引き抜く空間も確保し易く、巻取ロールＳＲの抜き取り作業がより行い易くなり、また抜き取った巻取ロールＳＲをトラック荷台ＴＣに置く作業も行い易くなる。因みに、巻取ロールＳＲの抜き取りにあたり、フランジ３３を扉（開き戸）のように開閉させる構造の詳細については、本出願人による特開２０１６−３２４５８号を援用するものであり、本明細書での詳細な説明は省略する。
【００３２】
また油圧式の駆動モータ３４への作動油の供給は、トラックＴＲに用意した電動駆動またはエンジン駆動の油圧ポンプを用いて作動油を供給することが好ましい。ここで上記エンジン（油圧ポンプを駆動するエンジン）とは、トラックＴＲにもともと搭載されている走行用のエンジンではなく、巻取装置１用に新たに装備するエンジンを意味するが、油圧ポンプを駆動するエンジンとしてはトラック走行用のエンジンを流用することも可能である。
【００３３】
本発明の巻取装置１は、以上のような基本構造を有するものであり、以下、この装置を適用した被覆資材Ｓの巻取態様について説明する。
（１）被覆資材の状況
まず、実質的な巻取態様の説明に先立ち、巻取装置１によって巻き取られる被覆資材Ｓの状況について説明する。
被覆対象となる茶畝Ｔ上に被せられている被覆資材Ｓの状況は、例えば図１等に示すように、茶畝Ｔの上面を覆うとともに幾分か畝幅方向に寸法的な余裕を有するものであって、被覆資材Ｓの左右両端縁は、茶畝Ｔの端部から垂れ下がる状態で茶畝Ｔに被せられる。なお、この状態で被覆資材Ｓを茶畝Ｔ上に固定するには、上記垂れ下がり部分を茶樹茎等にクリップ等で固定したり、あるいは紐等で結んだりして留め、茶葉にとって必要な管理期間、茶畝Ｔの被覆ないしは日射の遮蔽状態を維持するものである。
もちろん、被覆資材Ｓの巻き取りにあたっては、事前に上記クリップや紐等の固定を解除しておくが、上記のような垂れ下がり部分の存在が、被覆資材Ｓの円滑な巻き取りを難しくしている。
【００３４】
（２）装置の準備
また、このような被覆資材Ｓを巻き取るための準備として、トラックＴＲを含めた巻取装置１については、以下述べるような準備が成される。
なお、ここでは当初、巻取装置１の各構成部材がトラック荷台ＴＣに取り付けられておらず、いわゆるバラバラの状態でトラック荷台ＴＣに積載されたものとして説明する。すなわち、この場合には、現場となる茶園に到着してから、各構成部材をトラック荷台ＴＣ上に組み付ける態様となる。
【００３５】
（３）トラックの準備
トラックＴＲが目的の茶園に到着すると、巻取対象となる茶畝Ｔの端部に横付けされ（図１参照）、次いで、トラック荷台ＴＣのアオリＴＢが下方に倒される。ここで下方に倒されるアオリＴＢは、例えば巻取ユニット２が設置される方（受入ガイド体４１が張り出す方）の側アオリと後アオリのみを倒すことが可能であり、もう一方の側アオリについては、立てたままにすることが可能である（図３参照）。この場合、立設状態の側アオリが、巻き取り後の巻取ロールＳＲをトラック荷台ＴＣの残余スペースに仮置きする際、巻取ロールＳＲをトラック荷台ＴＣから落下させないようにする保持作用（落下防止板の作用）を担うものである。因みに、図中符号２０は、巻取ロールＳＲの仮置きスペース（積込スペース）と巻取ユニット２との間に立設される保持部材であり、立設状態の側アオリと一対となって、トラック荷台ＴＣ（残余スペース）に収容された巻取ロールＳＲを挟むように保持する作用を担っている（特に、トラックＴＲによる走行運搬中における巻取ロールＳＲの荷崩れ防止作用を担う）。
【００３６】
（４）巻取ユニットの組み付け
次いで、このような状態となったトラック荷台ＴＣ上で巻取ユニット２を組み付ける。
これには、まず枠本体５１をトラック荷台ＴＣ側に対し、取付ボルト５１４やクランプ等で固定する。また、枠本体５１の上部中央を上面ガードパネル５１５で覆うように取り付ける。その後、枠本体５１に対し、ロール支持ポスト５２、ガイド支持ポスト５３、ガイド支持アーム５４を取り付ける。
なお、枠本体５１やロール支持ポスト５２あるいはガイド支持ポスト５３等は、トラック荷台ＴＣの外方に張り出さない部材であるため、例えばこれらを初めから一体化接合しておくことが可能であり、また、この場合、一体化させた部材を当初（現場に到着する前）からトラック荷台ＴＣ側に固定しておくことが可能であり、これにより現場での組付作業を減らすことができる。
次いで、被覆資材Ｓを巻き取るための巻取軸３をロール支持ポスト５２に取り付ける。この際、巻取軸３の軸本体３２に対してフランジ３３は、通常、取り外し自在となっているため、巻取軸３の取り付けに先立ち、このフランジ３３を軸本体３２に対して取り付けておく。なお、軸本体３２の一方の端部は、適宜のカプラによって油圧式の駆動モータ３４側に接続される。
【００３７】
（５）各ガイド部材の組み付け
その後、この巻取軸３の直近位置におけるガイド支持ポスト５３の上端部に巻取ガイド体４３を固定する。この固定にあたっては幾分か取付角度や取付高さ等において調整余裕があることが好ましく、経験的に適切な角度や高さを設定する。いずれにせよ、巻取ガイド体４３は、平面視で前方の茶畝端部に向かって凸湾曲状となるように設けられる。
また、その下方には、直線状の中間ガイド体４２を設けるとともにガイド支持アーム５４の先端に受入ガイド体４１を取り付ける。これらも作業現場となる茶園や、茶樹・茶畝Ｔの仕立て状況等に応じて、経験的に適切な角度や高さに適宜調整し得ることが好ましい。なお、受入ガイド体４１は、平面視で茶畝端部に向かって凹湾曲状となるように設けられる。
【００３８】
（６）被覆資材のめくり返しと巻取軸への固定
このような作業を行った後、一例として図４（ａ）から（ｂ）に示すように、トラック荷台ＴＣ（巻取ユニット２）の反対側の茶畝端部に位置する、被覆資材Ｓの端縁を、作業者が手作業でめくり返しながら、巻取ユニット２まで運んできて、当該端縁を巻取軸３に固定する。
なお、めくり返した被覆資材Ｓの端縁を巻取軸３に固定するにあたっては、例えば図３に示すように、めくり返してきた被覆資材Ｓの端縁を受入ガイド体４１の上に載せるようにしながら、中間ガイド体４２と巻取ガイド体４３との間をジグザグ状に約半周ずつ巻回させるようにし、最終的に巻取軸３に至るように取り回し、上記端縁を巻取軸３に固定する。
この状態で、茶畝Ｔに被せられていた長尺状の被覆資材Ｓは、一例として図４（ｂ）に示すように、茶畝Ｔの仕立て長さの約半分程が、折り返し状にめくり返され、巻取ユニット２に近い茶畝上において二枚重ね状態を呈する。すなわち、茶畝Ｔにおいて巻取ユニット２から遠い約半分程の長さ部分は、被覆資材Ｓがはぎ取られ、茶畝Ｔが露出した状態となる一方、巻取ユニット２に近い約半分程は、被覆資材Ｓが二重に重ねられた状態（言わば半分程の長さに折り畳まれた状態）となる。
因みに、作業者が複数いる場合には、上述した巻取装置１側の準備作業と、被覆資材Ｓを半分程の長さにめくり返す作業とを並行して行うことができる。また、同様に被覆資材Ｓを巻取軸３に固定する際の被覆資材Ｓの端縁の取り回しも複数の作業者で協力して行うことができる。
【００３９】
（７）実質的な巻取作業
このような準備作業が終了したら、油圧式の駆動モータ３４によって巻取軸３を回転駆動させて、被覆資材Ｓを巻き取って行く。
ここで茶畝上で二枚重ね状態となった上側の被覆資材Ｓについては、この被覆資材Ｓが、下側に位置した被覆資材Ｓの上を滑るように移動して行くため、直接、茶樹に引っ掛かることがほとんどなく、極めてスムーズに巻き取りが進行すると考えられる。一方、茶畝上で二枚重ね状態となった下側の被覆資材Ｓについては、幾らか被覆資材Ｓが茶樹に直接引っ掛かるもしくは絡むことが生じるものの、トータルでは一畝の半分程の長さの巻き取りで済むため、全体としては極めて巻取抵抗が少なくなり、被覆資材Ｓの巻取荷姿としても極めて綺麗な巻取ロールＳＲを得ることができる。
【００４０】
（８）巻径の変化
また巻取軸３に対して巻き取られて行く被覆資材Ｓは、巻取作業が進むにつれ、巻径が次第に大きくなる。このため、かりに巻取軸３の回転数が一定の場合、巻径の増大に伴い周速度も増加するため、必ずしも円滑な巻き取りが行えない。従って適正な巻取状態（綺麗な巻取荷姿）が得られるように巻径の増加とともに回転数を減少させるような調整がされることが好ましい。
因みに本実施例では、上記のように油圧式の駆動モータ３４で巻取軸３を回転駆動するため、このような制御、すなわち巻径の増加とともに回転数を減少させるような調整が確実に且つ容易に行えるものである。
【００４１】
（９）資材ガイド部材の作用
また、巻き取りにおいては展開状態の被覆資材Ｓが、順次、受入ガイド体４１、中間ガイド体４２、巻取ガイド体４３の作用を受けながら巻取軸３に巻き取られて行くものである。すなわち茶畝Ｔ上に被せられていた被覆資材Ｓは、まず平面視凹湾曲状を成す受入ガイド体４１によって、すくい上げられるような作用を受け、その後、幾らか後方のストレートバー状を成す中間ガイド体４２によって折り返され、次いで平面視凸湾曲状を成す巻取ガイド体４３によって折り返しを受けた後、巻取軸３の軸本体３２に巻き取られて行く。
以下、これら各ガイド体が被覆資材Ｓに及ぼす作用について詳細に説明する。
【００４２】
（１０）受入ガイド体による向芯案内作用
例えば、巻取作業中に風等の影響を受けて、すくい上げられている被覆資材Ｓの下面に風が入り込み、被覆資材Ｓが茶畝Ｔからずれるような動きをする場合が想定される。このような場合、例えば巻取軸３の巻取幅の全体に被覆資材Ｓが平均して拡がった状態が一挙に崩れ、その都度、手作業での修正を要することがあった。この点、本実施例における受入ガイド体４１は、前方の茶畝Ｔに向かって凹湾曲形状を成すため、その向芯案内作用によって、すくい上げられた被覆資材Ｓは、例えば図２に示すように、装置の幅方向中心に向かうような挙動（一旦、集められるような挙動）を示す。このような挙動自体は、このまま巻き取られる場合には、決して好ましい状態ではなく、巻取軸３の中央に被覆資材Ｓが集中して巻き取られるような紡錘形状となってしまう。しかしながら、このような受入ガイド体４１による中央寄せは、被覆資材Ｓそのものの巻取中心（幅方向の中央）を、最終的な巻き取りに先立ち、巻取ユニット２のほぼ中央に強制的に導き、以後の円滑且つ正確な巻き取りに寄与するものである。
【００４３】
（１１）中間ガイド体による予備的横展開案内作用
受入ガイド体４１によって上記のような向芯案内作用を受けた被覆資材Ｓは、その後、中間ガイド体４２の存在により、これが幾分か中央から横（両サイド）に横展開（被覆資材Ｓを畝上に拡げるように被せる展開と区別するために「横展開」とした）して拡がるように案内される。なお、被覆資材Ｓを本格的に横展開状に案内するのは、その後の巻取ガイド体４３であるため、ここでは中間ガイド体４２による案内作用を「予備的（横展開案内作用）」とした。
また被覆資材Ｓは、この中間ガイド体４２によって、移送方向が切り替えられて、一例として上方の巻取ガイド体４３に向けて案内される。
【００４４】
（１２）巻取ガイド体による横展開案内作用
その後、被覆資材Ｓは、巻取ガイド体４３によって、巻取軸３の全幅に亘るように横展開案内される。この作用は、上述したように巻取ガイド体４３が、前側の茶畝端部に向かって平面視凸湾曲状に形成されることにより奏される。すなわち、巻取ガイド体４３に至った被覆資材Ｓは、凸湾曲状により、例えば図２に示すように、その両側に拡がるような案内作用（横展開案内作用）を受け、最終的に巻取軸３に対し、充分、横に拡がった状態で巻き取りがなされる。
【００４５】
（１３）巻取作業の終了
このようにして茶畝Ｔ一畝分の被覆資材Ｓの巻取作業が終了したら、巻取ロールＳＲとなった被覆資材Ｓを巻取軸受３１から取り外し、トラック荷台ＴＣの空きスペースを利用して一時的に保管する。この際、フランジ３３が軸本体３２から取り外し自在であれば、このフランジ３３を外した状態で、上記空きスペースに載置するものである。また、この場合、フランジ３３は、新たな軸本体３２に付け替える等、繰り返し使用することができる。
次いで、上記新たな軸本体３２を巻取軸受３１に装着し、次の茶畝Ｔ（例えば隣の茶畝Ｔ）にトラックＴＲを横付けするように走行させ、順次、このような巻取作業を繰り返して行く。
【００４６】
（１４）巻取作業の終了
なお、このような巻き取りを何回か繰り返し、例えばトラック荷台ＴＣの空きスペースに適宜の本数の巻取ロールＳＲが溜まった段階で、この複数の巻取ロールＳＲを、倉庫等に運搬し、トラック荷台ＴＣから降ろして倉庫に収納・保管するものである。このように本実施例では、何回かの巻取作業が終了したら、複数本の巻取ロールＳＲをまとめて運搬するものであり、一畝の巻取作業が終わる毎に一本ずつ巻取ロールＳＲをトラック荷台ＴＣから降ろす必要がないため、複数の茶畝Ｔに対する巻取作業が効率的に進められる。
一方、茶園では、巻き取りを終えた茶畝Ｔから順次、別の作業者による摘採作業が実行され、これには例えば上述したように乗用型茶園管理機を使用して摘採作業を行うことができる。このため、本発明では、同一の茶園で、被覆資材Ｓの巻取作業と摘採作業とが同時並行的に実行でき、巻取作業から摘採作業への移行がスムーズに且つ効率的に行えるものである。
【００４７】
〔他の実施例〕
本発明は以上述べた実施例を一つの基本的な技術思想とするものであるが、更に次のような改変が考えられる。
まず、上述した基本の実施例では、主に、巻取ユニット２をトラック荷台ＴＣに直接固定するように説明したが、巻取ユニット２とトラック荷台ＴＣとの間に、取付ベースＢ等の仲介部材を設けた取付手法も可能であり、この場合にはトラック荷台ＴＣ上で巻取ユニット２自体の位置を、いくらか微調整することができる。具体的には、例えば図５（ａ）に示すように、トラック荷台ＴＣにおいてトラックＴＲの前後方向に二本のレールＲを敷設し、これに沿って移動する取付ベースＢ（ブロック状のリニアスライドや板状のスライドベース等）を設けておき、この取付ベースＢ上に巻取ユニット２を固定する形態が採り得る。これによりトラックＴＲを一旦駐車した後でも、巻取ユニット２をトラックＴＲの前後方向（畝幅方向）に多少移動させることができる（微調整することができる）。なお、レールＲ上における巻取ユニット２の固定は、例えばクランプ等を用いて行うことができる。
【００４８】
また、例えば図５（ｂ）に示すように、上記枠本体５１（サイドピース５１２）のボルト孔５１３を円弧状の長孔に形成し、且つ中央取付ピース５１１が取付ボルト５１４部分で遊持状態となるように、上記取付ベースＢに取り付けることで、同図５（ｂ）に併せ示すように、トラックＴＲの駐車後でも、巻取ユニット２を平面から視て左右に幾らか回動させることができる。
更にまた、図示は省略するが、例えばロール支持ポスト５２やガイド支持ポスト５３等の高さ（長さ）を左右で異ならせることにより、地面（畝地）に対して巻取ユニット２を傾斜状態に設定することができ、これは例えば茶園が傾斜地である場合等に適用できる手法である。
【００４９】
また、先に述べた基本の実施例では、トラック荷台ＴＣには一基の巻取ユニット２を設置するように図示したが、必ずしもこれに限定されるものではなく、例えば図６・図７に示すように、一台のトラックＴＲに複数基の巻取ユニット２を設置することが可能である。
すなわち図６では、トラック荷台ＴＣの左右両側縁に寄って一基ずつ巻取ユニット２を並列状に設置し、左右両側の茶畝Ｔから一挙に被覆資材Ｓを巻き取ることができるようにした改変例である。
また、図７では、荷台長さの長いトラックＴＲに二基の巻取ユニット２を直列状に設置し、隣り合う二つの茶畝Ｔから一挙に被覆資材Ｓを巻き取ることができるようにした改変例である。なお、本図７に示すように、二基の巻取ユニット２を直列状に配置した場合には、トラックＴＲの前方側に設置される巻取ユニット２は、上記図５（ｂ）の改変例で示した構成、すなわち平面視、左右に幾らか回動自在の構成とすることで、当該巻取ユニット２から巻取ロールＳＲを抜き取る作業が容易に行い得るものである。
【００５０】
また、本発明では対象となる目的の装置を「巻取装置」と称したが、これは被覆資材Ｓの展開作業（ロール巻きされた被覆資材Ｓを茶畝上面に展開状に拡げる作業）を、主に乗用型茶園管理機で行う想定としたためである。
しかしながら、営農者によっては例えば複数の茶園を離れた場所に所有していること等もあり、その一方で、被覆資材Ｓの展開作業は摘採時期から逆算してタイミング良く行わなければならないことから、複数箇所で同時並行的に展開作業を行いたい場合もあり得る。
そのような場合には、本発明の巻取装置１を、展開装置として適用することもでき、この場合には、例えば巻取軸３をフリー回転状態に設定しておき、作業者が巻取ロールＳＲの繰出先端を保持しながら、巻取装置１から離れた茶畝端部まで引っ張りながら運んで行き、被覆資材Ｓを茶畝上に展開することが可能である。このため、本発明の名称としては、巻取装置としたものの、これは巻取作業しか行えないという意味ではなく、本装置を適用して上記のような展開作業も行えるものである。
【符号の説明】
【００５１】
１      巻取装置（被覆資材の巻取装置）
ＴＣ    トラック荷台
２      巻取ユニット
２０    保持部材
２      巻取ユニット
３      巻取軸
４      資材ガイド部材
５      フレーム部材
３      巻取軸
３１    巻取軸受
３２    軸本体
３３    フランジ
３４    駆動モータ
３４Ｐ  油圧配管
４      資材ガイド部材
４１    受入ガイド体
４２    中間ガイド体
４３    巻取ガイド体
５      フレーム部材
５１    枠本体
５２    ロール支持ポスト
５３    ガイド支持ポスト
５４    ガイド支持アーム
５１    枠本体
５１１  中央取付ピース
５１２  サイドピース
５１３  ボルト孔
５１４  取付ボルト
５１５  上面ガードパネル
Ｔ      茶畝
Ｓ      被覆資材
ＳＲ    巻取ロール
ＴＲ    トラック
ＴＢ    アオリ
Ｒ      レール
Ｂ      取付ベース
【図１】
2019000012.tif 000003
【図２】
2019000012.tif 000004
【図３】
2019000012.tif 000005
【図４】
2019000012.tif 000006
【図５】
2019000012.tif 000007
【図６】
2019000012.tif 000008
【図７】
2019000012.tif 000009